(57)【要約】【課題】バランスのとれた美しい陳列展示ができるように、また、安価で繰り返し使用が可能な花指しを提供する。【解決手段】本発明の花差しは、試験管の管部が挿通可能で、且つ、試験管上端のフランジ部が掛止可能な支持孔が、厚さ方向に複数形成された支持プレートと、支持プレートから垂下する少なくとも３本の縦長の脚ロッドとを備えて構成される。試験管は、支持プレートに吊り下げ状に支持され、試験管内に花が挿入可能となっている。【選択図】図１
2007068860.tif 000002
【特許請求の範囲】
【請求項１】
試験管の管部が挿通可能で、且つ、試験管上端のフランジ部が掛止可能な支持孔が、厚さ方向に複数形成された支持プレートと、
該支持プレートから垂下する少なくとも３本の縦長の脚ロッドとを備え、
前記支持プレートに吊り下げ状に支持された試験管内に花が挿入可能となっていることを特徴とする花差し。
【請求項２】
複数の支持プレートが、脚ロッドの長さ方向に沿って多段状に設けられていることを特徴とする請求項１に記載の花差し。
【請求項３】
支持プレート及び脚ロッドが透明樹脂によって形成されていることを特徴とする請求項１または２に記載の花差し。
【発明の詳細な説明】
【技術分野】
【０００１】
本発明は、多数の花をバランス良く陳列する際に利用される花差しに関する。
【背景技術】
【０００２】
花や造花を生ける際には花瓶が利用される。しかし、多数の花もしくは造花をアレンジし、一体的なモニュメントとして陳列するような場合、多数の花瓶を組み合わせたのでは統一が取れない。さまざまな種類の造花等を組み合わせ、その全体の配置をも調整するように陳列展示できるものとして、実用新案登録第３０３９５２８号公報には、造花差し・陳列展示具が開示されている。この造花差し・陳列展示具は、造花等を挿入して生ける筒体の側面に、適宜間隔で複数のスリットを設け、そのスリットに挿抜可能な仕切底板を差し込む構成である。さらに、筒体にはフックを設け、高さ調節可能な掛け枠に掛けられるように構成することにより、造花等の種類による花姿に応じて最適な挿入高さで陳列展示することができる。しかし、多数の造花を展示する際、筒体が直列に並べられることから、複雑な造花の装飾等には不向きである。
【０００３】
実用新案登録第３０８０７３１号公報には、花差し材と花差し材を担持する保持具とからなる飾り花支持台が開示されている。この飾り花支持台の保持具は、花差し材を収める受枠と台脚部及びこの両者間に跨設する連結アームとから構成され、連結アームの調整により、受枠を折畳んだり所定の傾斜勾配に設定できるものである。また、花差し材は高発泡倍率のプラスチック発泡体であり、連結アームが折畳み式又はスライドステー式よりなることが記載されている。この飾り花支持台は、仕立て製作が簡単で、嵩張らずスペースを取らないことから、収納や取扱いが便利なものである。しかし、造花をプラスチック発泡体に差し込んだ跡が残り、繰り返しの使用には限度がある。
【特許文献１】実用新案登録第３０３９５２８号公報
【特許文献２】実用新案登録第３０８０７３１号公報
【発明の開示】
【発明が解決しようとする課題】
【０００４】
花瓶と同様に花や造花を生ける花差しが、多数の花瓶を組み合わせたように構成されるのでは、花装飾に利用できない。本発明は、バランスのとれた美しい陳列展示ができるように、また、安価で繰り返し使用が可能な花指しを提供することである。
【課題を解決するための手段】
【０００５】
本発明の請求項１の花差しは、試験管の管部が挿通可能で、且つ、試験管上端のフランジ部が掛止可能な支持孔が、厚さ方向に複数形成された支持プレートと、該支持プレートから垂下する少なくとも３本の縦長の脚ロッドとを備え、前記支持プレートに吊り下げ状に支持された試験管内に花が挿入可能となっていることを特徴とする。請求項２の発明は、複数の支持プレートが、脚ロッドの長さ方向に沿って多段状に設けられていることを特徴とする。請求項３の発明は、支持プレート及び脚ロッドが透明樹脂によって形成されていることを特徴とする。
【発明の効果】
【０００６】
このような花差しを利用することにより、多数の花や造花を美しく生けることができる。また、支持プレートの上に造形物を載せて陳列することもできることから、花装飾に利用できる。さらに、丈夫で安価な試験管が利用できるので、繰り返し使用できる。
支持プレートを多段にした場合には、支持プレート間の空間が利用できる他、上下方向に縦長の花差しとなり、花や造花の陳列がより複雑にでき、花装飾として好ましいものとなる。
花差しを透明樹脂によって形成することにより、花差しが見えていても花や造花が創り出す雰囲気を壊すことがなく、美しく飾ることができる。
【発明を実施するための最良の形態】
【０００７】
図１は、本発明の花差し１０を示した斜視図である。この図１に示すように、花差し１０（第１の形態）は、薄い円板からなる支持プレート１を、４本の縦長の脚ロッド２で支えたものであり、脚ロッド２の長さは、少なくとも後述する試験管４の長さより長くした構造である。そして、支持プレート１には、試験管４の管部４ａが挿通できる大きさの支持孔３が、支持プレート１の厚さ方向に多数形成されている。この支持孔３は、試験管４のフランジ部４ｂの径より小さく形成されており、試験管４は、その管部４ａを挿通した状態で、試験管４のフランジ部４ｂが掛止される。
【０００８】
本発明の花差し１０は、支持プレート１を脚ロッド２の高さで支持させたものであり、脚ロッド２の高さより短い試験管４を支持プレート１から垂下させたものである。この試験管４には花が挿入されることから、支持プレート１の上では多数の花が生けられて装飾されるものになる。また、花に限らず造花であった場合でも同様であり、支持プレート１の上に造形物を載せて陳列することもできる。支持プレート１の上に造形物を載せて陳列した場合には、より変化に富んだものとなる。
【０００９】
この実施の形態において、脚ロッド２を筒状部材とし、支持孔３の下に設けてもよい。この場合、脚ロッド２の内径を支持孔３の内径と同一とし、支持孔３を脚ロッド２の内部にまで連通させる。このように構成することにより、試験管４を脚ロッド２の内部に垂下させることができる。試験管４は理化学用に市販されているものが利用でき、安価で繰り返し使用が可能なので経済的である。
【００１０】
図２は、第２の形態の花差し２０を示した斜視図である。この花差し２０は２枚の支持プレート（１、１ａ）を脚ロッド２の長さ方向に沿って所定の高さで平行に接続したものである。２枚の支持プレート１を接続する際には、支持プレート１の上に別途用意された第２の脚ロッド２ａを接続し、その上に第２の支持プレート１ａを接続する。この際、第２の脚ロッド２ａは、脚ロッド２の上に連続するように接続し、支持孔３は縦方向に同一の位置となるようにする。このように構成することにより、試験管４を第２の支持プレート１ａに掛止させて垂下させることができる。そして花差し２０は、２枚の支持プレート（１、１ａ）の間に、例えば、その展示目的に対応した小物等を載置することができる他、この空間を利用して花や造花の陳列をより複雑にできるものとなる。
【００１１】
支持プレート（１、１ａ）や脚ロッド（２、２ａ）は、透明性が高い硬質プラスチック（透明樹脂）によって形成される。即ち、花差し（１０、２０）は、アクリル樹脂やポリカーボネート等の透明性が高い合成樹脂（透明樹脂）で形成することが好ましく、且つ、適度な強度と剛性を備えている。因みに、試験管４は透明であることから、全体として、花差し（１０、２０）は透明なものとして形成される。花差し（１０、２０）を透明なものとして形成した場合には、装飾された多数の花や造花の美しさが引き出せる。
【００１２】
花や造花の陳列を利用目的に応じて効果的に演出できるように、花差し（１０、２０）を着色することもできる。アクリル樹脂を着色したものとするためは、アクリル樹脂に顔料を加え、これに分散剤を加えて顔料を分散させ、適当な濃度に溶剤で希釈すればよい。顔料としては、カーボンブラックなどの無機顔料のほか、フタロシアニンなどの有機顔料などが利用できる。
【００１３】
本発明は試験管に水を入れて花を生けるものであるが、剣山が使えないので、合成樹脂からなるスポンジや発泡スチロール等の固定化部材を試験管の底に設け、これら固定化部材に花の茎を差し込むようにする。固定化部材を接着等により試験管から容易には抜けないようにした場合には、背丈の高い花であっても、生けることができるものとなる。
【図面の簡単な説明】
【００１４】
【図１】第１の実施の形態を示した斜視図である。
【図２】第２の実施の形態を示した斜視図である。
【符号の説明】
【００１５】
１  支持プレート
１ａ  第２の支持プレート
２  脚ロッド
２ａ  第２の脚ロッド
３  支持孔
４  試験管
４ａ  管部
４ｂ  フランジ部
【図１】
2007068860.tif 000003
【図２】
2007068860.tif 000004